(57)【要約】【課題】  ＩＰ電話機と公衆回線電話機間で着信課金サービスを提供する。【解決手段】  ＣＡ（コールエージェント）１０２は、ＩＰ電話１０１からの発呼が着信課金サービスか判別する。着信課金サービス制御装置１０７は、着信課金サービス番号をＣＡ１０２から受信し、対応する着信先電話番号（以下着信番号）及び事業者ＩＤをＣＡ１０２に返信する。ＣＡ１０２は着信番号等に従いＩＰ電話１０１とＰＳＴＮ加入電話１０９を接続する。通話終了後、ＣＡ１０２はＩＰ網の料金を計算し、事業者ＩＤを課金先とした第１料金情報を作成しＩＰ課金管理装置１１０に送信する。またＣＡ１０２は、着信番号を課金先とした第２料金情報を作成しＰＳＴＮ課金管理装置１０８に送信する。サービス制御装置１０７は、交換機１０６を非課金とし及びＰＳＴＮ網の料金を計算し、着信番号を課金先とした第３料金情報を作成してＰＳＴＮ課金管理装置１０８に送信する。【選択図】  図１
2005210581.tif 000002
【特許請求の範囲】
【請求項１】
ＩＰ網に接続されるＩＰ電話機と、交換機に接続される公衆回線電話機とがＩＰ網と交換機間を接続するメディアゲートウェイを介して相互接続可能な電話網において、
前記ＩＰ電話機についてのＩＰ課金管理装置と情報を通信し、及び、公衆回線電話網と制御信号を通信し、及び、ＩＰ網と接続されて呼制御を行うコールエージェントと、
前記公衆回線電話機についてのＰＳＴＮ課金管理装置並びに前記ＩＰ課金管理装置と情報を通信し、及び、前記コールエージェント並びに前記交換機と通信して、着信課金サービスの呼接続制御を行う着信課金サービス制御装置と
を備えた着信課金システムであって、
前記コールエージェントは、
着信先電話番号に対応して、着信先の前記公衆回線電話機を収容する前記交換機に接続するためのメディアゲートウェイのＩＰアドレス、又は、着信先の前記ＩＰ電話機のＩＰアドレスが予め記憶されたＩＰアドレス格納部と、
前記ＩＰ電話機と前記公衆回線電話機との通話時間を監視する第１の時間監視部と、
前記第１の時間監視部により監視された通話時間と、ＩＰ網における所定時間ごとの料金を示すＩＰ料金レート及び／又は公衆回線電話網における所定時間ごとの料金を示すＰＳＴＮ料金レートとに基づき課金情報を算出し、課金先情報と算出された課金情報とを含む料金情報を作成する第１の料金算出部と
を有し、
前記着信課金サービス制御装置は、
着信課金サービスのための着信課金サービス番号に対応して着信先電話番号及び着信先の事業者識別情報が予め記憶された着信課金サービス番号格納部と、
前記ＩＰ電話機と前記公衆回線電話機との通話時間を監視する第２の時間監視部と、
前記第２の時間監視部により監視された通話時間と、ＩＰ料金レート及び／又はＰＳＴＮ料金レートとに基づき課金情報を算出し、課金先情報と算出された課金情報とを含む料金情報を作成する第２の料金算出部と
を有し、
前記コールエージェント又は前記交換機は、前記ＩＰ電話機又は前記公衆回線電話機からの発呼をそれぞれ検出して、着信課金サービス番号を受信し、受信した着信課金サービス番号を前記着信課金サービス制御装置に送信し、
前記着信課金サービス制御装置は、着信課金サービス番号を受信し、前記着信課金サービス番号格納部を参照して、受信した着信課金サービス番号に対応する着信先電話番号及び着信先の事業者識別情報を取得し、
前記着信課金サービス制御装置は、取得された着信先電話番号及び／又は着信先の事業者識別情報を前記コールエージェント又は前記交換機に返信し、
前記コールエージェントは、前記着信課金サービス制御装置又は前記交換機から着信先電話番号を受信し、前記ＩＰアドレス格納部を参照して、受信した着信先電話番号に対応するＩＰアドレスを取得し、取得したＩＰアドレスに基づき前記ＩＰ電話機と前記公衆回線電話機とを接続させ、
前記着信課金サービス制御装置は、前記公衆回線電話機を収容する前記交換機の課金を停止させ、
前記コールエージェントの前記第１の料金算出部及び前記着信課金サービス制御装置の前記第２の料金算出部は、前記第１及び第２の時間監視部により監視された各通話時間と、ＩＰ料金レート及び／又はＰＳＴＮ料金レートとに基づき、それぞれ課金情報を算出し、
前記コールエージェントの前記第１の料金算出部及び前記着信課金サービス制御装置の前記第２の料金算出部は、ＩＰ網及び公衆回線電話網における料金の和が着信先電話番号に課金されるように課金先情報を設定して料金情報を作成し、その料金情報を着信側の前記ＩＰ課金管理装置又は前記ＰＳＴＮ課金管理装置に送信し、かつ、発信側の網における料金が着信先の事業者識別情報に課金されるように課金先情報を設定して料金情報を作成し、その料金情報を発信側の前記ＩＰ課金管理装置又は前記ＰＳＴＮ課金管理装置に送信する前記着信課金システム。
【請求項２】
発信元の電話機は前記ＩＰ電話機であり、かつ、着信先の電話機は前記公衆回線電話機であって、
前記コールエージェントは、前記着信課金サービス制御装置から返信される着信先電話番号及び着信先の事業者識別情報を受信し、
前記コールエージェントの前記第１の料金算出部は、前記第１の時間監視部により監視された通話時間と、ＩＰ料金レートとに基づき第１の課金情報を算出し、受信された着信先の事業者識別情報を課金先情報に設定して、その課金先情報と第１の課金情報を含む第１の料金情報を作成し、第１の料金情報を前記ＩＰ課金管理装置に送信し、及び、受信された着信先電話番号を課金先情報に設定して、その課金先情報と第１の課金情報を含む第２の料金情報を作成し、第２の料金情報を前記ＰＳＴＮ課金管理装置に送信し、
前記着信課金サービス制御装置の前記第２の料金算出部は、前記第２の時間監視部により監視された通話時間と、ＰＳＴＮ料金レートとに基づき第２の課金情報を算出し、着信先電話番号を課金先情報として設定し、その課金先情報と第２の課金情報を含む第３の料金情報を作成し、第３の料金情報を前記ＰＳＴＮ課金管理装置に送信する請求項１に記載の着信課金システム。
【請求項３】
発信元の電話機は前記公衆回線電話機であり、かつ、着信先の電話機は前記ＩＰ電話機であって、
前記コールエージェントの前記第１の料金算出部は、前記第１の時間監視部により監視された通話時間と、ＩＰ料金レート及びＰＳＴＮ料金レートとに基づきＩＰ網及び公衆回線電話網における料金を含む第３の課金情報を算出し、受信された着信先電話番号を課金先情報に設定してその課金先情報と第３の課金情報を含む第４の料金情報を作成し、第４の料金情報を前記ＩＰ課金管理装置に送信し、
前記着信課金サービス制御装置の前記第２の料金算出部は、前記第２の時間監視部で監視された通話時間と、ＰＳＴＮ料金レートとに基づき第４の課金情報を算出し、取得された着信先の事業者識別情報を課金先情報として設定し、その課金先情報と第４の課金情報を含む第５の料金情報を作成し、第５の料金情報を前記ＰＳＴＮ課金管理装置に送信する請求項１に記載の着信課金システム。
【請求項４】
前記着信課金サービス制御装置は、
電話番号それぞれに対応して、電話機がＩＰ電話機か公衆回線電話機かを示す端末種類が記憶されたデータベースを有し、電話番号に基づき発信元及び着信先の電話機の端末種類を判別する端末判別部と、
発信元及び着信先の端末種類の組み合わせに対応してＩＰ料金レート及びＰＳＴＮ料金レートが予め記憶されたデータベースを有し、前記端末判別部により判別された端末種類に基づき、ＩＰ料金レートとＰＳＴＮ料金レートとを取得する料金レート判別部と
をさらに備え、
前記コールエージェント又は前記交換機は、発呼を検出すると、さらに発信元の前記ＩＰ電話機又は前記公衆回線電話機から発信元電話番号を受信し、受信された発信元電話番号を前記着信課金サービス制御装置に送信し、
前記着信課金サービス制御装置は、発信元電話番号を受信し、受信された発信元電話番号及び取得された着信先電話番号に基づき、前記端末判別部及び前記料金レート判別部により、ＩＰ料金レートとＰＳＴＮ料金レートとを取得し、
前記着信課金サービス制御装置は、取得されたＩＰ料金レート及び／又はＰＳＴＮ料金レートを前記コールエージェントに送信し、
前記コールエージェントの前記第１の料金算出部及び前記着信課金サービス制御装置の前記第２の料金算出部は、取得されたＩＰ料金レート及び／又はＰＳＴＮ料金レートを用いて課金情報を算出する請求項１に記載の着信課金システム。
【請求項５】
前記コールエージェントは、
前記ＩＰ電話機から受信した着信先の電話番号が、着信課金用のルーティング番号を含むか判断するルーティング番号判別部
をさらに備え、
前記コールエージェントは、着信課金用のルーティング番号を含む場合に前記着信課金サービス制御装置に受信した着信課金サービス番号及び／又は発信元電話番号を送信し、一方、着信課金用のルーティング番号を含まない場合に通常の呼制御を実行する請求項１に記載の着信課金システム。
【請求項６】
ＩＰ網に接続されるＩＰ電話機と、交換機に接続される公衆回線電話機とがＩＰ網と交換機間を接続するメディアゲートウェイを介して相互接続可能な電話網において、前記ＩＰ電話機についてのＩＰ課金管理装置と情報を通信し、及び、公衆回線電話網と制御信号を通信し、及び、ＩＰ網と接続されて呼制御を行うコールエージェントと、前記公衆回線電話機についてのＰＳＴＮ課金管理装置並びに前記ＩＰ課金管理装置と情報を通信し、及び、前記コールエージェント並びに前記交換機と通信して、着信課金サービスの呼接続制御を行う着信課金サービス制御装置とを備えた着信課金システムにおける着信課金サービス制御装置であって、
着信課金サービスのための着信課金サービス番号に対応して着信先電話番号及び着信先の事業者識別情報が予め記憶された着信課金サービス番号格納部と、
前記ＩＰ電話機と前記公衆回線電話機との通話時間を監視する時間監視部と、
前記時間監視部により監視された通話時間と、ＩＰ網における所定時間ごとの料金を示すＩＰ料金レート及び／又は公衆回線電話網における所定時間ごとの料金を示すＰＳＴＮ料金レートとに基づき課金情報を算出し、課金先情報と算出された課金情報を含む料金情報を作成する料金算出部と
を備え、
前記着信課金サービス制御装置は、前記コールエージェント又は前記交換機から着信課金サービス番号を受信し、前記着信課金サービス番号格納部を参照して、受信した着信課金サービス番号に対応する着信先電話番号及び着信先の事業者識別情報を取得し、
前記着信課金サービス制御装置は、取得された着信先電話番号及び／又は着信先の事業者識別情報を前記コールエージェント又は前記交換機に返信し、
前記着信課金サービス制御装置は、前記公衆回線電話機を収容する前記交換機の課金を停止させ、
前記着信課金サービス制御装置の前記料金算出部は、前記時間監視部により監視された通話時間と、ＩＰ料金レート及び／又はＰＳＴＮ料金レートとに基づき、課金情報を算出し、
前記着信課金サービス制御装置の前記料金算出部は、前記コールエージェントが通話時間及び料金レートに基づき作成する料金情報と、自ら通話時間及び料金レートに基づき作成する料金情報とにより、ＩＰ網及び公衆回線電話網における料金の和が着信先電話番号に課金されるように課金先情報を設定して料金情報を作成し、その料金情報を着信側の前記ＩＰ課金管理装置又は前記ＰＳＴＮ課金管理装置に送信し、かつ、発信側の網における料金が着信先の事業者識別情報に課金されるように課金先情報を設定して料金情報を作成し、その料金情報を発信側の前記ＩＰ課金管理装置又は前記ＰＳＴＮ課金管理装置に送信する前記着信課金サービス制御装置。
【請求項７】
ＩＰ網に接続されるＩＰ電話機と、交換機に接続される公衆回線電話機とがＩＰ網と交換機間を接続するメディアゲートウェイを介して相互接続可能な電話網において、前記ＩＰ電話機についてのＩＰ課金管理装置と情報を通信し、及び、公衆回線電話網と制御信号を通信し、及び、ＩＰ網と接続されて呼制御を行うコールエージェントと、前記公衆回線電話機についてのＰＳＴＮ課金管理装置並びに前記ＩＰ課金管理装置と情報を通信し、及び、前記コールエージェント並びに前記交換機と通信して、着信課金サービスの呼接続制御を行う着信課金サービス制御装置とを備えた着信課金システムにおけるコールエージェントであって、
着信先電話番号に対応して、着信先の前記公衆回線電話機を収容する前記交換機に接続するためのメディアゲートウェイのＩＰアドレス、又は、着信先の前記ＩＰ電話機のＩＰアドレスが予め記憶されたＩＰアドレス格納部と、
前記ＩＰ電話機と前記公衆回線電話機との通話時間を監視する時間監視部と、
前記時間監視部により監視された通話時間と、ＩＰ網における所定時間ごとの料金を示すＩＰ料金レート及び／又は公衆回線電話網における所定時間ごとの料金を示すＰＳＴＮ料金レートとに基づき課金情報を算出し、課金先情報と算出された課金情報とを含む料金情報を作成する料金算出部と
を備え、
前記コールエージェントは、前記ＩＰ電話機からの発呼を検出して、着信課金サービス番号を受信し、受信した着信課金サービス番号を前記着信課金サービス制御装置に送信し、
前記コールエージェントは、前記着信課金サービス制御装置又は前記交換機から着信課金サービス番号に対応する着信先電話番号を受信し、前記ＩＰアドレス格納部を参照して、受信した着信先電話番号に対応するＩＰアドレスを取得し、取得したＩＰアドレスに基づき前記ＩＰ電話機と前記公衆回線電話機とを接続させ、
前記コールエージェントの前記料金算出部は、前記時間監視部により監視された通話時間と、ＩＰ料金レート及び／又はＰＳＴＮ料金レートとに基づき、課金情報を算出し、
前記コールエージェントの前記料金算出部は、前記着信課金サービス制御装置が通話時間及び料金レートに基づき作成する料金情報と、自ら通話時間及び料金レートに基づき作成する料金情報とにより、ＩＰ網及び公衆回線電話網における料金の和が着信先電話番号に課金されるように課金先情報を設定して料金情報を作成し、その料金情報を着信側の前記ＩＰ課金管理装置又は前記ＰＳＴＮ課金管理装置に送信し、かつ、発信側の網における料金が着信先の事業者識別情報に課金されるように課金先情報を設定して料金情報を作成し、その料金情報を発信側の前記ＩＰ課金管理装置又は前記ＰＳＴＮ課金管理装置に送信する前記コールエージェント。
【請求項８】
ＩＰ網に接続されるＩＰ電話機と、交換機に接続される公衆回線電話機とがＩＰ網と交換機間を接続するメディアゲートウェイを介して相互接続可能な電話網において、前記ＩＰ電話機についてのＩＰ課金管理装置と情報を通信し、及び、公衆回線電話網と制御信号を通信し、及び、ＩＰ網と接続されて呼制御を行うコールエージェントと、前記公衆回線電話機についてのＰＳＴＮ課金管理装置並びに前記ＩＰ課金管理装置と情報を通信し、及び、前記コールエージェント並びに前記交換機と通信して、着信課金サービスの呼接続制御を行う着信課金サービス制御装置とを備えた着信課金システムにおける着信課金方法であって、
コールエージェント又は交換機は、ＩＰ電話機又は公衆回線電話機からの発呼をそれぞれ検出して、着信課金サービスのための着信課金サービス番号を受信し、受信した着信課金サービス番号を着信課金サービス制御装置に送信するステップと、
着信課金サービス制御装置は、着信課金サービス番号を受信し、着信課金サービス番号に対応して着信先電話番号及び着信先の事業者識別情報が予め記憶された着信課金サービス番号格納部を参照して、受信した着信課金サービス番号に対応する着信先電話番号及び着信先の事業者識別情報を取得するステップと、
着信課金サービス制御装置は、取得された着信先電話番号及び／又は着信先の事業者識別情報をコールエージェント又は交換機に返信するステップと、
コールエージェントは、着信課金サービス制御装置又は交換機から着信先電話番号を受信し、着信先電話番号に対応して、着信先の公衆回線電話機を収容する交換機に接続するためのメディアゲートウェイのＩＰアドレス、又は、着信先のＩＰ電話機のＩＰアドレスが記憶されたＩＰアドレス格納部を参照して、受信した着信先電話番号に対応するＩＰアドレスを取得し、取得したＩＰアドレスに基づきＩＰ電話機と公衆回線電話機とを接続させるステップと、
着信課金サービス制御装置は、公衆回線電話機を収容する交換機の課金を停止させるステップと、
着信課金サービス制御装置及びコールエージェントは、ＩＰ電話機と公衆回線電話機との通話時間を監視するステップと、
コールエージェント及び着信課金サービス制御装置は、監視された各通話時間と、ＩＰ料金レート及び／又はＰＳＴＮ料金レートとに基づき、それぞれ課金情報を算出するステップと、
コールエージェント及び着信課金サービス制御装置は、ＩＰ網及び公衆回線電話網における料金の和が着信先電話番号に課金されるように課金先情報を設定して料金情報を作成し、その料金情報を着信側のＩＰ課金管理装置又はＰＳＴＮ課金管理装置に送信し、かつ、発信側の網における料金が着信先の事業者識別情報に課金されるように課金先情報を設定して料金情報を作成し、その料金情報を発信側のＩＰ課金管理装置又はＰＳＴＮ課金管理装置に送信するステップと
を含む前記着信課金方法。
【発明の詳細な説明】
【技術分野】
【０００１】
本発明は、着信課金システム、着信課金サービス制御装置、コールエージェント及び着信課金方法に係り、特に、ＩＰ電話機と公衆回線電話機の相互接続が可能な電話網における着信課金サービスを提供するための着信課金システム、着信課金サービス制御装置、コールエージェント及び着信課金方法に関する。
【背景技術】
【０００２】
既存の公衆回線電話網（ＰＳＴＮ：Ｐｕｂｌｉｃ  Ｓｗｉｔｃｈｉｎｇ  Ｔｅｌｅｐｈｏｎｅ  Ｎｅｔｗｏｒｋ）は、交換機が共通線信号方式によってインテリジェントネットワーク（ＩＮ：Ｉｎｔｅｌｌｉｇｅｎｔ  Ｎｅｔｗｏｒｋ）装置と連携して動作することにより、高機能な電話サービスの提供している。
現在、ＰＳＴＮで実施されている０１２０番号で始まる特別な番号を使っての着信課金サービスもその１つである。ＰＳＴＮにおける着信課金サービスについては、例えば特許文献１などに記載されている。この文献では、着信課金サービス提供用のデータベースに、着信課金用番号と該サービス契約者の着信先電話番号を登録している。該サービス契約者に対する発呼が発生した場合に発信端末を収容する交換機は、着信先電話番号が着信課金サービス対象であることを識別して、該着信課金用電話番号をＩＮ装置の一種である網サービス制御局に通知する。網サービス制御局は、該着信課金用電話番号に対応する電話番号をデータベースから検索して、該電話番号を発交換機に通知し、該電話番号に対する呼接続処理を実施する。同時に、網サービス制御局は発交換機に対し発信者への課金を行わないよう指示する。通話終了時、網サービス制御局は通話料の課金先として着信先電話番号を設定した料金情報を作成し、料金計算センタに送信する（特許文献１参照）。
【０００３】
以上のような方法でＰＳＴＮでは着信課金サービスを提供しているが、電話網は、最近ＰＳＴＮとＩＰ（Ｉｎｔｅｒｎｅｔ  Ｐｒｏｔｏｃｏｌ）網との融合が進められており、ＰＳＴＮにおいて提供していた各種電話サービスをＩＰ電話機も対象として実施することが求められている。
また、一般に、ＰＳＴＮとＩＰ網の接続においては、ＰＳＴＮのＳＴＭ（Ｓｙｎｃｒｏｎｏｕｓ  Ｔｒａｎｓｆｅｒ  Ｍｏｄｅ、同期転送モード）音声信号データとＩＰ音声パケットとの相互変換を行うメディアゲートウェイ（ＭＧ：Ｍｅｄｉａ  Ｇａｔｅｗａｙ）と、共通線信号網とＩＰ網を接続して制御信号の送受信を行うシグナリングゲートウェイ（ＳＧ：Ｓｉｇｎａｌｉｎｇ  Ｇａｔｅｗａｙ）と、ＳＧで受信した共通線信号をＭＧＣＰ（Ｍｅｄｉａ  Ｇａｔｅｗａｙ  Ｃｏｎｔｒｏｌ  Ｐｒｏｔｏｃｏｌ）等のＭＧ制御用信号に変換してＭＧ制御を行うコールエージェント（ＣＡ：Ｃａｌｌ  Ａｇｅｎｔ）を配備することにより相互接続を実現している（例えば、非特許文献１参照）。
【０００４】
この方式の概要を説明すれば、まず、ＩＰ電話加入者がＩＰ電話からＰＳＴＮ加入電話に対して発信した場合、ＣＡは発信者であるＩＰ電話の発信元電話番号及び着信先電話番号を受信する。次に、ＣＡは、受信した着信先電話番号の市外局番を基に着信先であるＰＳＴＮ加入電話を収容している交換機と接続されるＭＧのＩＰアドレスをデータベースから検索しＭＧと接続する。更に着信先電話番号を基に交換機と接続してＰＳＴＮ加入電話と通話できる接続方式となっている。
また、他の文献にはＰＳＴＮとＩＰ網の接続による課金として、ＣＡでＩＰ網内使用料金及びＩＰ網と交換機間で発生する接続料金を課金して、ＩＰ事業者がＩＰ電話所有者に対して料金を請求し、また、着信先であるＰＳＴＮ加入電話を収容している交換機では、交換機の使用料金を課金して、ＩＰ事業者に対して使用料金を請求するといった課金方式を実施するものが記載されている（例えば、非特許文献２参照）。
【特許文献１】特開２００１-３０９０８８号公報
【非特許文献１】「日経コミュニケーション」、日経ＢＰ社、２０００年８月７日号、Ｐ１０４-１０５、図５
【非特許文献２】「日経コミュニケーション」、日経ＢＰ社、２０００年３月３日号、Ｐ８９、図２-２
【発明の開示】
【発明が解決しようとする課題】
【０００５】
以上のような従来の接続方式及び課金方式を継承して、ＩＰ電話発信によるＰＳＴＮ加入電話着信における着信課金サービスを行う場合に、以下に述べるような課題がある。
通常は、ＩＰ電話からの発呼に対してＣＡが着信先電話番号の情報を取得して市外局番を基に着信先であるＰＳＴＮ加入電話を収容している交換機と接続されるＭＧのＩＰアドレスを取得する。しかし、着信課金を示すルーティング番号（例えば、０１２０番号）は局番号ではないため接続先である交換機（又はＭＧ）を従来のＣＡは特定することができないといった課題１がある。
更に従来の課金方法によると、ＣＡは着信課金サービス契約者であるＰＳＴＮ加入電話機が、ＩＰ網に存在する電話機ではない為、ＩＰ事業者は料金の請求先である事業者及び契約者を特定できないといった課題２がある。例えば、ＩＰ電話からＰＳＴＮ加入電話に着信課金で電話をかける場合、ＩＰ網における料金をＰＳＴＮ加入電話に課金することになるが、ＩＰ事業者はＰＳＴＮ加入者の氏名・住所等を知らないため、直接料金を請求することはできない。
【０００６】
また、従来の課金方式では、交換機は、交換機とＭＧ間の事業所間接続料の課金先を発事業者から着信者に変更できないといった課題３がある。従来の課金方式では、例えばＩＰ網側から交換機へ接続された場合には、事業所間接続料を発事業者であるＩＰ事業者に課金する仕組みになっているが、この交換機をそのまま用いて着信課金を実現することはできない。
一方、ＰＳＴＮ加入電話発信・ＩＰ電話着信における着信課金サービスを行う場合に、着信課金サービス契約者であるＩＰ電話は、ＰＳＴＮに存在する電話機ではない為、ＰＳＴＮ事業者は料金の請求先が特定できないといった課題４がある。
また、ＩＰ電話とＰＳＴＮ加入電話間において着信課金を実現するための上記課題１〜４は、異なるＩＰ電話事業者間で着信課金を実現する場合も同様の課題が生じ得る。
本発明は、以上の点に鑑み、ＩＰ電話機と公衆回線電話機の相互接続が実現された電話網において、着信課金サービスを実現するための着信課金サービス制御装置及びシステムを提供することを目的とする。
【課題を解決するための手段】
【０００７】
上述の課題１は、ＩＰ電話からの発呼を受信した着信先電話番号に含まれる着信課金サービス用のルーティング番号を認識して、着信課金サービスか否かを判別する判別機能を具備するＣＡと、ＣＡから着信課金サービス用番号を受信し、着信課金サービス用番号と着信先電話番号が対応したテーブルを検索して着信先電話番号をＣＡへ返信する機能を具備する着信課金サービス制御装置を設けることで解決される。
課題２は、着信課金サービス制御装置は、ＩＰ網及び交換機の使用料を課金するＣＡに着信課金サービス契約者の着信先電話番号を課金先に変更するように指示し、ＣＡは、着信課金サービス契約者の着信先電話番号を課金先に設定した料金情報を作成し、着信課金サービス制御装置を介して料金情報をＰＳＴＮ課金管理装置に送信し、ＰＳＴＮ課金管理装置で課金先に設定された着信課金サービス契約者の電話番号を検索することで請求先を特定することができる。
【０００８】
課題３は、着信課金サービス時に着信課金サービス制御装置が交換機の課金状態を非課金とする制御を行い、着信課金サービス制御装置で交換機の使用料を課金し、課金先として自装置内にある着信課金サービス契約者の着信先電話番号を課金先として設定することで解決される。
課題４は、着信課金サービス時に着信課金サービス制御装置が交換機の課金状態を非課金とする制御を行い、着信課金サービス制御装置で交換機の使用料を課金し、着信課金サービス契約者の着信先電話番号を課金先に設定した料金情報を作成し、作成した料金情報をＩＰ課金管理装置に送信し、ＩＰ課金管理装置で課金先に設定された着信課金サービス契約者の電話番号を検索することで請求先を特定することができる。
【０００９】
本発明の第１の解決手段よると、
ＩＰ網に接続されるＩＰ電話機と、交換機に接続される公衆回線電話機とがＩＰ網と交換機間を接続するメディアゲートウェイを介して相互接続可能な電話網において、
前記ＩＰ電話機についてのＩＰ課金管理装置と情報を通信し、及び、公衆回線電話網と制御信号を通信し、及び、ＩＰ網と接続されて呼制御を行うコールエージェントと、
前記公衆回線電話機についてのＰＳＴＮ課金管理装置並びに前記ＩＰ課金管理装置と情報を通信し、及び、前記コールエージェント並びに前記交換機と通信して、着信課金サービスの呼接続制御を行う着信課金サービス制御装置と
を備えた着信課金システムであって、
前記コールエージェントは、
着信先電話番号に対応して、着信先の前記公衆回線電話機を収容する前記交換機に接続するためのメディアゲートウェイのＩＰアドレス、又は、着信先の前記ＩＰ電話機のＩＰアドレスが予め記憶されたＩＰアドレス格納部と、
前記ＩＰ電話機と前記公衆回線電話機との通話時間を監視する第１の時間監視部と、
前記第１の時間監視部により監視された通話時間と、ＩＰ網における所定時間ごとの料金を示すＩＰ料金レート及び／又は公衆回線電話網における所定時間ごとの料金を示すＰＳＴＮ料金レートとに基づき課金情報を算出し、課金先情報と算出された課金情報とを含む料金情報を作成する第１の料金算出部と
を有し、
前記着信課金サービス制御装置は、
着信課金サービスのための着信課金サービス番号に対応して着信先電話番号及び着信先の事業者識別情報が予め記憶された着信課金サービス番号格納部と、
前記ＩＰ電話機と前記公衆回線電話機との通話時間を監視する第２の時間監視部と、
前記第２の時間監視部により監視された通話時間と、ＩＰ料金レート及び／又はＰＳＴＮ料金レートとに基づき課金情報を算出し、課金先情報と算出された課金情報とを含む料金情報を作成する第２の料金算出部と
を有し、
前記コールエージェント又は前記交換機は、前記ＩＰ電話機又は前記公衆回線電話機からの発呼をそれぞれ検出して、着信課金サービス番号を受信し、受信した着信課金サービス番号を前記着信課金サービス制御装置に送信し、
前記着信課金サービス制御装置は、着信課金サービス番号を受信し、前記着信課金サービス番号格納部を参照して、受信した着信課金サービス番号に対応する着信先電話番号及び着信先の事業者識別情報を取得し、
前記着信課金サービス制御装置は、取得された着信先電話番号及び／又は着信先の事業者識別情報を前記コールエージェント又は前記交換機に返信し、
前記コールエージェントは、前記着信課金サービス制御装置又は前記交換機から着信先電話番号を受信し、前記ＩＰアドレス格納部を参照して、受信した着信先電話番号に対応するＩＰアドレスを取得し、取得したＩＰアドレスに基づき前記ＩＰ電話機と前記公衆回線電話機とを接続させ、
前記着信課金サービス制御装置は、前記公衆回線電話機を収容する前記交換機の課金を停止させ、
前記コールエージェントの前記第１の料金算出部及び前記着信課金サービス制御装置の前記第２の料金算出部は、前記第１及び第２の時間監視部により監視された各通話時間と、ＩＰ料金レート及び／又はＰＳＴＮ料金レートとに基づき、それぞれ課金情報を算出し、
前記コールエージェントの前記第１の料金算出部及び前記着信課金サービス制御装置の前記第２の料金算出部は、ＩＰ網及び公衆回線電話網における料金の和が着信先電話番号に課金されるように課金先情報を設定して料金情報を作成し、その料金情報を着信側の前記ＩＰ課金管理装置又は前記ＰＳＴＮ課金管理装置に送信し、かつ、発信側の網における料金が着信先の事業者識別情報に課金されるように課金先情報を設定して料金情報を作成し、その料金情報を発信側の前記ＩＰ課金管理装置又は前記ＰＳＴＮ課金管理装置に送信する前記着信課金システムが提供される。
【００１０】
本発明の第２の解決手段よると、
ＩＰ網に接続されるＩＰ電話機と、交換機に接続される公衆回線電話機とがＩＰ網と交換機間を接続するメディアゲートウェイを介して相互接続可能な電話網において、前記ＩＰ電話機についてのＩＰ課金管理装置と情報を通信し、及び、公衆回線電話網と制御信号を通信し、及び、ＩＰ網と接続されて呼制御を行うコールエージェントと、前記公衆回線電話機についてのＰＳＴＮ課金管理装置並びに前記ＩＰ課金管理装置と情報を通信し、及び、前記コールエージェント並びに前記交換機と通信して、着信課金サービスの呼接続制御を行う着信課金サービス制御装置とを備えた着信課金システムにおける着信課金サービス制御装置であって、
着信課金サービスのための着信課金サービス番号に対応して着信先電話番号及び着信先の事業者識別情報が予め記憶された着信課金サービス番号格納部と、
前記ＩＰ電話機と前記公衆回線電話機との通話時間を監視する時間監視部と、
前記時間監視部により監視された通話時間と、ＩＰ網における所定時間ごとの料金を示すＩＰ料金レート及び／又は公衆回線電話網における所定時間ごとの料金を示すＰＳＴＮ料金レートとに基づき課金情報を算出し、課金先情報と算出された課金情報を含む料金情報を作成する料金算出部と
を備え、
前記着信課金サービス制御装置は、前記コールエージェント又は前記交換機から着信課金サービス番号を受信し、前記着信課金サービス番号格納部を参照して、受信した着信課金サービス番号に対応する着信先電話番号及び着信先の事業者識別情報を取得し、
前記着信課金サービス制御装置は、取得された着信先電話番号及び／又は着信先の事業者識別情報を前記コールエージェント又は前記交換機に返信し、
前記着信課金サービス制御装置は、前記公衆回線電話機を収容する前記交換機の課金を停止させ、
前記着信課金サービス制御装置の前記料金算出部は、前記時間監視部により監視された通話時間と、ＩＰ料金レート及び／又はＰＳＴＮ料金レートとに基づき、課金情報を算出し、
前記着信課金サービス制御装置の前記料金算出部は、前記コールエージェントが通話時間及び料金レートに基づき作成する料金情報と、自ら通話時間及び料金レートに基づき作成する料金情報とにより、ＩＰ網及び公衆回線電話網における料金の和が着信先電話番号に課金されるように課金先情報を設定して料金情報を作成し、その料金情報を着信側の前記ＩＰ課金管理装置又は前記ＰＳＴＮ課金管理装置に送信し、かつ、発信側の網における料金が着信先の事業者識別情報に課金されるように課金先情報を設定して料金情報を作成し、その料金情報を発信側の前記ＩＰ課金管理装置又は前記ＰＳＴＮ課金管理装置に送信する前記着信課金サービス制御装置が提供される。
【００１１】
本発明の第３の解決手段よると、
ＩＰ網に接続されるＩＰ電話機と、交換機に接続される公衆回線電話機とがＩＰ網と交換機間を接続するメディアゲートウェイを介して相互接続可能な電話網において、前記ＩＰ電話機についてのＩＰ課金管理装置と情報を通信し、及び、公衆回線電話網と制御信号を通信し、及び、ＩＰ網と接続されて呼制御を行うコールエージェントと、前記公衆回線電話機についてのＰＳＴＮ課金管理装置並びに前記ＩＰ課金管理装置と情報を通信し、及び、前記コールエージェント並びに前記交換機と通信して、着信課金サービスの呼接続制御を行う着信課金サービス制御装置とを備えた着信課金システムにおけるコールエージェントであって、
着信先電話番号に対応して、着信先の前記公衆回線電話機を収容する前記交換機に接続するためのメディアゲートウェイのＩＰアドレス、又は、着信先の前記ＩＰ電話機のＩＰアドレスが予め記憶されたＩＰアドレス格納部と、
前記ＩＰ電話機と前記公衆回線電話機との通話時間を監視する時間監視部と、
前記時間監視部により監視された通話時間と、ＩＰ網における所定時間ごとの料金を示すＩＰ料金レート及び／又は公衆回線電話網における所定時間ごとの料金を示すＰＳＴＮ料金レートとに基づき課金情報を算出し、課金先情報と算出された課金情報とを含む料金情報を作成する料金算出部と
を備え、
前記コールエージェントは、前記ＩＰ電話機からの発呼を検出して、着信課金サービス番号を受信し、受信した着信課金サービス番号を前記着信課金サービス制御装置に送信し、
前記コールエージェントは、前記着信課金サービス制御装置又は前記交換機から着信課金サービス番号に対応する着信先電話番号を受信し、前記ＩＰアドレス格納部を参照して、受信した着信先電話番号に対応するＩＰアドレスを取得し、取得したＩＰアドレスに基づき前記ＩＰ電話機と前記公衆回線電話機とを接続させ、
前記コールエージェントの前記料金算出部は、前記時間監視部により監視された通話時間と、ＩＰ料金レート及び／又はＰＳＴＮ料金レートとに基づき、課金情報を算出し、
前記コールエージェントの前記料金算出部は、前記着信課金サービス制御装置が通話時間及び料金レートに基づき作成する料金情報と、自ら通話時間及び料金レートに基づき作成する料金情報とにより、ＩＰ網及び公衆回線電話網における料金の和が着信先電話番号に課金されるように課金先情報を設定して料金情報を作成し、その料金情報を着信側の前記ＩＰ課金管理装置又は前記ＰＳＴＮ課金管理装置に送信し、かつ、発信側の網における料金が着信先の事業者識別情報に課金されるように課金先情報を設定して料金情報を作成し、その料金情報を発信側の前記ＩＰ課金管理装置又は前記ＰＳＴＮ課金管理装置に送信する前記コールエージェントが提供される。
【００１２】
本発明の第４の解決手段よると、
ＩＰ網に接続されるＩＰ電話機と、交換機に接続される公衆回線電話機とがＩＰ網と交換機間を接続するメディアゲートウェイを介して相互接続可能な電話網において、前記ＩＰ電話機についてのＩＰ課金管理装置と情報を通信し、及び、公衆回線電話網と制御信号を通信し、及び、ＩＰ網と接続されて呼制御を行うコールエージェントと、前記公衆回線電話機についてのＰＳＴＮ課金管理装置並びに前記ＩＰ課金管理装置と情報を通信し、及び、前記コールエージェント並びに前記交換機と通信して、着信課金サービスの呼接続制御を行う着信課金サービス制御装置とを備えた着信課金システムにおける着信課金方法であって、
コールエージェント又は交換機は、ＩＰ電話機又は公衆回線電話機からの発呼をそれぞれ検出して、着信課金サービスのための着信課金サービス番号を受信し、受信した着信課金サービス番号を着信課金サービス制御装置に送信するステップと、
着信課金サービス制御装置は、着信課金サービス番号を受信し、着信課金サービス番号に対応して着信先電話番号及び着信先の事業者識別情報が予め記憶された着信課金サービス番号格納部を参照して、受信した着信課金サービス番号に対応する着信先電話番号及び着信先の事業者識別情報を取得するステップと、
着信課金サービス制御装置は、取得された着信先電話番号及び／又は着信先の事業者識別情報をコールエージェント又は交換機に返信するステップと、
コールエージェントは、着信課金サービス制御装置又は交換機から着信先電話番号を受信し、着信先電話番号に対応して、着信先の公衆回線電話機を収容する交換機に接続するためのメディアゲートウェイのＩＰアドレス、又は、着信先のＩＰ電話機のＩＰアドレスが記憶されたＩＰアドレス格納部を参照して、受信した着信先電話番号に対応するＩＰアドレスを取得し、取得したＩＰアドレスに基づきＩＰ電話機と公衆回線電話機とを接続させるステップと、
着信課金サービス制御装置は、公衆回線電話機を収容する交換機の課金を停止させるステップと、
着信課金サービス制御装置及びコールエージェントは、ＩＰ電話機と公衆回線電話機との通話時間を監視するステップと、
コールエージェント及び着信課金サービス制御装置は、監視された各通話時間と、ＩＰ料金レート及び／又はＰＳＴＮ料金レートとに基づき、それぞれ課金情報を算出するステップと、
コールエージェント及び着信課金サービス制御装置は、ＩＰ網及び公衆回線電話網における料金の和が着信先電話番号に課金されるように課金先情報を設定して料金情報を作成し、その料金情報を着信側のＩＰ課金管理装置又はＰＳＴＮ課金管理装置に送信し、かつ、発信側の網における料金が着信先の事業者識別情報に課金されるように課金先情報を設定して料金情報を作成し、その料金情報を発信側のＩＰ課金管理装置又はＰＳＴＮ課金管理装置に送信するステップと
を含む前記着信課金方法が提供される。
【発明の効果】
【００１３】
本発明によると、ＩＰ電話からＰＳＴＮ加入電話への着信課金サービスを提供することができる。従って、一般的に安価であるＩＰ網を用いた通話が可能となり、ＰＳＴＮの着信課金サービス契約者は遠距離からの着信通話の通話料金を気にせずに着信課金サービスを受けることができる。また、本発明によると、従来では利用することができなかったＰＳＴＮ加入電話及びＩＰ電話からＩＰ電話加入者への着信課金サービスを提供することができる。
【発明を実施するための最良の形態】
【００１４】
（装置構成）
図1は、着信課金サービス制御装置を備えたＩＰ網とＰＳＴＮとの相互接続網構成（着信課金システム）の一例を示す図である。着信課金システムは、ＣＡ（コールエージェント）１０２と、ＭＧ（メディアゲートウェイ）１０４と、交換機１０６と、着信課金サービス制御装置１０７と、ＰＳＴＮ課金管理装置１０８と、ＩＰ課金管理装置１１０を備える。
ＩＰ網１０３にはＩＰ電話１０１、ＣＡ１０２、ＭＧ１０４が接続される。ＣＡ１０２は共通線信号網１０５と接続されＰＳＴＮと制御信号を通信し、呼制御を行う。また、例えば各ＩＰ電話についての課金情報等の保持及び管理を行うＩＰ課金管理装置１１０と接続される。一方ＰＳＴＮ側では、ＰＳＴＮ加入電話１０９を収容する交換機１０６とＭＧ１０４を接続し、例えば交換機使用料金情報、ＰＳＴＮ電話への課金情報を保持及び管理するＰＳＴＮ課金管理装置１０８と交換機１０６を接続する。
着信課金サービス制御装置１０７は、ＣＡ１０２及び交換機１０６と共通線信号網１０５を介して接続し、着信課金サービスにおける呼接続処理の制御を行う。更に着信課金サービス制御装置１０７は、ＰＳＴＮ課金管理装置１０８及びＩＰ課金管理装置１１０と接続して両者を結合した課金情報の管理を行う。なお、ＣＡ１０２、交換機１０６などは複数備えることができる。また、図１は、ＩＰ事業者及びＰＳＴＮ事業者が１つずつの場合を示しているが、複数のＩＰ事業者及びＰＳＴＮ事業者が存在するシステムとすることもできる。この場合、例えば事業者ごとにＰＳＴＮ課金管理装置１０８又はＩＰ課金装置１１０を備えてもよい。
【００１５】
図２は、着信課金サービスを実現するための機能を具備するＣＡ１０２のブロック構成の一例を示す図である。ＣＡ１０２は、ＩＰ網インタフェース２０１と、ＳＩＰ処理部２０３と、音声ガイダンス送出部２０４と、音声信号変換部２０５と、ＩＰアドレス格納部２０６と、共通線信号インタフェース２０７と、時間監視部２０８と、料金レート管理部２０９と、料金算出部２１０と、ルーティング番号判別部２１１と、ＩＰ課金管理装置インタフェース２１２と、課金先管理部２１３と、ＣＡ制御部２０２とを有する。なお、料金レート管理部２０９、課金先管理部２１３は、例えば料金算出部２１０、ＣＡ制御部２０２の内部等に適宜設けてもよい。
ＩＰ網インタフェース２０１は、ＩＰ網１０３と接続され呼制御用データや音声データなどのＩＰパケットを送受信する。ＳＩＰ処理部２０３は、呼制御プロトコルとして例えばＳＩＰ（ｓｅｓｓｉｏｎ  ｉｎｉｔｉａｔｉｏｎ  ｐｒｏｔｏｃｏｌ）を実行する。なお、ＳＩＰ以外にもＨ．３２３など適宜の呼制御プロトコルを用いてもよい。音声ガイダンス送出部２０４は、着信課金サービス番号がルーティング番号格納部２１１に登録されていない場合に、登録されていないことを発信者に音声ガイダンス等で通知するための音源となる。なお、音声ガイダンスのデータ等は、音声ガイダンス送出部２０４に予め登録されている。音声信号変換部２０５は、ＩＰ網経由で接続しているＩＰ電話１０１に音声ガイダンスを送出するために、例えば音声ガイダンスのデータを音声パケットに変換する。
【００１６】
ＩＰアドレス格納部２０６は、各加入者の着信先電話番号とＩＰアドレスの対応表が予め格納される。共通線信号インタフェース２０７は、共通線信号網１０５と接続され、発信元電話番号や着信課金サービス契約者の着信先電話番号などの情報を送受信するためのインタフェースである。時間監視部（第１の時間監視部）２０８は、例えばＩＰ電話及びＰＳＴＮ電話間の通話時間を監視する。料金レート管理部（第１の料金レート管理部）２０９は、例えば、時間、通話距離などに応じた通話料金の料金レートを管理する。本実施の形態において、料金レートは、例えばＩＰ網における所定時間毎の料金を示すＩＰ料金レート、ＰＳＴＮにおける所定時間毎の料金を示すＰＳＴＮ料金レートを含む。また、ＩＰ網から交換機を介してＰＳＴＮに接続する場合に発生する、交換機とＭＧ間の事業者間接続料は、例えばＰＳＴＮ料金レートに含むことができる。料金算出部（第１の料金算出部）２１０は、通話終了後に通話料金を算出し、課金先情報と料金（課金情報）を含む料金情報を作成する。ルーティング番号判別部２１１は、着信課金サービス番号のルーティング番号を格納し、着信課金か否かを判別する。ＩＰ課金管理装置インタフェース２１２は、ＩＰ課金管理装置１１０と接続・通信するためのインタフェースである。課金先管理部２１３は、着信課金サービス時に通話料金の課金先を管理する。ＣＡ制御部２０２は、ＣＡ１０２内の各ブロックを制御する。
【００１７】
図３は、着信課金サービスを実現する機能を具備する着信課金サービス制御装置のブロック構成の一例を示す図である。着信課金サービス制御装置１０７は、共通線信号インタフェース３０１と、端末判別部３０３と、ＩＰ課金管理装置インタフェース３０４と、ＰＳＴＮ課金管理装置インタフェース３０５と、着信先電話番号格納部３０６と、発信元電話番号格納部３０７と、時間監視部３０８と、料金レート管理部３０９と、料金算出部３１０と、着信課金サービス番号格納部３１１と、料金レート判別部３１２と、課金先事業者格納部３１３と、課金停止部３１４と、着信課金制御部３０２とを有する。なお、着信先電話番号格納部３０６、発信元電話番号格納部３０７、料金レート管理部３０９、着信課金サービス番号格納部３１１、課金先事業者格納部３１３と、課金停止部３１４のそれぞれは、例えば料金算出部３１０、着信課金制御部３０２の内部等に適宜設けてもよい。
共通線信号インタフェース３０１は、共通線信号網１０５と接続され、発信元電話番号や着信課金サービス契約者の着信先電話番号などの情報を送受信するためのインタフェースである。端末判別部３０３は、例えば電話番号に対応して端末種類（ＩＰ電話又はＰＳＴＮ加入電話）が記憶されたデータベースを有し、電話番号に基づき端末種類を判別する。ＩＰ課金管理装置インタフェース３０４は、ＩＰ課金管理装置１１０と接続するためのインタフェースである。ＰＳＴＮ課金管理装置インタフェース３０５は、ＰＳＴＮ課金管理装置１０８と接続するためのインタフェースである。着信先電話番号格納部３０６は、着信課金サービス番号格納部３１１で検索した着信課金サービス契約者の着信先電話番号を一時的に格納する。発信元電話番号格納部３０７は、発信端末の電話番号を一時的に格納する。
【００１８】
時間監視部（第２の時間監視部）３０８は、通話時間を監視する。料金レート管理部（第２の料金レート管理部）３０９は、例えば時間、通話距離などに応じた通話料金の料金レート（例えば、ＩＰ料金レート及びＰＳＴＮ料金レート）を管理する。料金算出部（第２の料金算出部）３１０は、通話終了後に通話料金を算出する。なお、時間監視部３０８、料金レート管理部３０９は、ＣＡ１０２の対応する各部と同様の機能とすることができる。着信課金サービス番号格納部３１１は、着信課金サービス契約者の着信課金サービス番号と着信課金サービス契約者の着信先電話番号の対応表が予め格納される。料金レート判別部３１２は、発信端末及び着信端末の組み合わせに対応して、ＩＰ料金レート及びＰＳＴＮ料金レートが記憶されたデータベースを有し、着信課金サービス時に発信端末と着信端末の種類によって料金レートを判別する。課金先事業者格納部３１３は、課金先に変更する事業者の情報を一時的に格納する。課金先停止部３１４は、発信側及び着信側の交換機の課金を停止させる。着信課金制御部３０２は、着信課金サービス制御装置１０７内の各機能ブロックを制御する。
【００１９】
（データフォーマット）
図４は、ＰＳＴＮ課金管理装置１０８にある料金課金用のデータベースの一例を示す図である。このデータベースは、通話料金の課金先情報４０１に対応した課金情報４０２を含む。図４に示すデータベースにおいて、例えば、エントリ４０３−１は、通話料金の課金先であるＰＳＴＮ加入者の電話番号４０１と、現在までの合計通話料金を示す課金情報４０２が登録される。エントリ４０３−Ｎは、例えば、料金の課金先であるＩＰ事業者Ａの課金先情報４０１（例えば、ＩＰ事業者Ａの識別情報）と、ＰＳＴＮ側がＩＰ事業者Ａの所有するＩＰ網に接続した際に発生する接続料金を課金した課金情報４０２が登録される。本実施の形態では、着信課金を実現するために、ＰＳＴＮ側からＩＰ側に接続した場合の接続料金は着信側のＩＰ事業者が課金先となる。
【００２０】
図５は、ＩＰ課金管理装置１１０にある料金課金用のデータベースの一例を示す図である。このデータベースは、通話料金の課金先情報５０１に対応した課金情報５０２を含む。図５に示すデータベースにおいて、例えば、エントリ５０３−１は、通話料金の課金先であるＩＰ電話加入者の電話番号５０１と、現在までの合計通話料金である課金情報５０２が登録される。エントリ５０３−Ｎは、料金の課金先であるＰＳＴＮ側の課金先情報５０１（例えば、ＰＳＴＮ事業者の識別情報）とＩＰ事業者側がＰＳＴＮに接続した際に発生する接続料金を課金した課金情報５０２が登録される。本実施の形態では、着信課金を実現するために、ＩＰ側からＰＳＴＮ網に接続した場合の接続料金は通常課金される発信側ではなく、着信側のＰＳＴＮ事業者に課金される。
【００２１】
図６は、ＩＰ網を使った着信課金サービスを実現するための着信課金サービス制御装置１０７の着信課金サービス番号格納部３１１にある着信課金サービス用のデータベースの構成例を示す図である。このデータベースは、着信課金サービス契約者の着信課金サービス番号６０１に対応して、着信課金サービス契約者の着信先電話番号６０２と着信先電話端末の所有者が契約している電話事業者の事業者の識別情報６０４とを含む。
事業者識別情報６０４は、着信課金サービス契約者の着信課金サービス番号６０１と着信課金サービス契約者の着信先電話番号６０２を新たに登録する際に事業者識別情報６０４も登録することができる。若しくは、事業者６０４は、着信課金サービス契約者の着信課金サービス番号６０１と着信課金サービス契約者の着信先電話番号６０２を登録すると、着信課金サービス制御装置が電話番号の上位数桁に割り振られる事業者番号を見て、事業者番号を基に自動的に事業者を登録することもできる。
着信課金サービス番号格納部３１１にあるデータベースにおいて、例えば、エントリ６０３−１及び６０３−２は、着信課金サービスの契約者であるＰＳＴＮ加入電話所有者の着信課金サービス番号６０１及び、着信課金サービスの契約者の着信先電話番号６０２、着信課金サービス契約者が契約しているＰＳＴＮ事業者Ａが登録してある。また、例えば、エントリ６０３-Ｎについては、着信課金サービスの契約者であるＩＰ電話所有者の着信課金サービス番号６０１及び、着信課金サービスの契約者の着信先電話番号６０２、着信課金サービス契約者が契約しているＩＰ事業者Ａが登録してある。
【００２２】
図７は、ＣＡ１０２内のルーティング番号判別部２１１にあるデータベースの構成例を示す図である。このデータベースは、例えば、ルーティング番号７０１に対応して、通常呼接続か着信課金サービスかを登録してある接続方式７０２を含む。図７に示すデータベースにおいて、例えば、エントリ７０３-１は、電話番号の局番号である“０４５”がルーティング番号７０１に登録され、登録してある電話番号は、着信課金サービスのルーティング番号ではないため、接続方式７０２には通常呼接続が登録してある。同様に、エントリ７０３-２は、ＩＰ電話の電話番号である“０５０”がルーティング番号７０１に登録され、ルーティング番号７０１に登録してある電話番号は、着信課金サービスのルーティング番号ではないため、接続方式７０２には通常呼接続が登録してある。
一方、エントリ７０３-Ｎは、着信課金サービスのルーティング番号である“０１２０”がルーティング番号７０１に登録され、０１２０番号は着信課金サービスであるため、接続方式７０２には着信課金接続が登録してある。なお、このテーブルには着信課金サービスについてのみ登録し、該当するエントリがない場合に通常の呼接続と判断するようにしてもよい。
【００２３】
図８は、ＣＡ１０２内のＩＰアドレス格納部２０６にあるデータベースの構成例を示す図である。このデータベースは、着信先電話番号８０１に対応して着信先のＩＰアドレス８０２を含む。図８に示すデータベースにおいて、例えば、エントリ８０３-１及び８０３-２は、登録してある着信先電話番号８０１はＰＳＴＮの加入者の電話番号であり、ＰＳＴＮ加入電話を収容する交換機１０６と接続されているＭＧ１０４のＩＰアドレス８０２が予め登録されている。エントリ８０３−Ｎは、登録してある着信先電話番号８０１はＩＰ電話加入者の電話番号であり、着信先であるＩＰ電話のＩＰアドレス８０２が予め登録されている。
【００２４】
図９は、着信課金サービス制御装置１０７内の端末判別部３０３にあるデータベースの構成例を示す図である。このデータベースは、電話番号９０１に対応して端末の種類を示す端末種類９０２を含む。電話番号９０１は、発信元及び着信先の電話番号のうち、端末種類を判別するために必要な上位数桁（例えば、局番号に相当する部分）を用いることができる。
図９に示すデータベースにおいて、例えば、エントリ９０３-１は、発信元電話番号格納部３０７に電話番号の情報が格納されていない場合で、端末種類９０２にはＰＳＴＮ加入電話が登録してあることを示す。エントリ９０３-２及び９０３-３に登録してある電話番号９０１は、ＰＳＴＮ加入電話における市外局番であり、端末種類９０２はＰＳＴＮ加入電話であることを示す。エントリ９０３-Ｎに登録してある電話番号９０１は、ＩＰ電話における電話番号であり、端末種類９０２はＩＰ電話であることを示す。
【００２５】
図１０は、着信課金サービス制御装置１０７内の料金レート判別部３１２のデータベースの構成例を示す図である。このデータベースは、着信課金契約者の端末の種類を登録してある着信課金サービス契約者端末１００１と、発信端末の種類を登録してある発信端末１００２に対応して、ＰＳＴＮ側の料金レートを登録してあるＰＳＴＮ料金レート１００３と、ＩＰ網側の料金レートを登録してあるＩＰ料金レート１００４を含む。
図１０に示すデータベースにおいて、例えば、エントリ１００５-１は着信課金サービス契約者の端末（着信先）がＩＰ電話の場合であって、かつ、着信課金サービス番号を発呼した発信端末がＩＰ電話である場合のＰＳＴＮ料金レート１００３と、ＩＰ料金レート１００４を示したエントリである。なお、この端末の組み合わせにおいては、ＰＳＴＮ料金レートを省略しても良い。同様に、エントリ１００５-２は、着信課金サービス契約者の端末がＩＰ電話の場合であって、かつ、着信課金サービス番号を発呼した発信端末がＰＳＴＮ加入電話である場合のＰＳＴＮ料金レート１００３と、ＩＰ料金レート１００４を示したエントリである。エントリ１００５-３は、着信課金サービス契約者の端末がＰＳＴＮ加入電話の場合で、着信課金サービス番号を発呼した発信端末がＩＰ電話である場合のＰＳＴＮ料金レート１００３と、ＩＰ料金レート１００４を示したエントリである。エントリ１００５-Ｎは、着信課金サービス契約者の端末がＰＳＴＮ加入電話の場合で、着信課金サービス番号を発呼した発信端末がＰＳＴＮ加入電話である場合のＰＳＴＮ料金レート１００３と、ＩＰ料金レート１００４を示したエントリである。なお、この端末の組み合わせにおいては、ＩＰ料金レートを省略してもよい。
なお、図１０では、３分を基準とした料金を示しているが、これに限らず適宜の料金レートを登録することができる。また、ＰＳＴＮ事業者及びＩＰ事業者が複数存在する場合、各事業者の組み合わせに応じた料金レートを登録することができる。
【００２６】
（ＩＰ電話発信、ＰＳＴＮ着信による着信課金サービスの動作）
ＩＰ電話加入者が着信課金サービス契約者であるＰＳＴＮ加入電話に対してＩＰ電話から発信し、着信課金サービスを受ける場合の動作について説明する。
図１１は、ＩＰ電話発信及びＰＳＴＮ加入電話着信における着信課金サービスのシーケンスの一例である。図１２及び図１３は、ＩＰ電話発信及びＰＳＴＮ加入電話着信における着信課金サービス時のＣＡ１０２の動作を示したフローチャートの一例である。図１４は、ＩＰ電話発信及びＰＳＴＮ加入電話着信における着信課金サービス時の着信課金サービス制御装置１０７の動作を示したフローチャートの一例である。以下、図１１〜図１４を用いて着信課金サービスの動作を説明する。
【００２７】
まず、ＩＰ電話１０１が、着信課金サービス契約者であるＰＳＴＮ加入電話１０９に対して着信課金サービス番号（例えば、０１２０で始まる着信課金用の番号）で発呼する（図１１：１１０１）。ＣＡ１０２は、ＩＰ電話１０１の発呼を検出して、着信先電話番号（ここでは、着信課金サービス番号）と発信元電話番号等の呼接続に必要な情報を受信する（図１２：１２０１）。例えば、ＣＡ１０２内のＳＩＰ処理部２０３が発呼を検出し、ＩＰ網インタフェース２０１を介して情報を受信する。ＣＡ１０２は、取得した着信先電話番号を基に自装置内にあるルーティング番号判別部２１１で着信課金サービスのルーティング番号か否か判断する（１２０２）。なお、ＣＡ１０２内の処理・手順は、ＣＡ制御部２０２により制御又は処理される。ＣＡ１０２は、取得した着信先電話番号が着信課金サービスのルーティング番号でない場合（１２０２）、通常呼接続と判断し処理する（１２０３）。一方、ＣＡ１０２は、着信課金サービスのルーティング番号の場合（１２０２）、共通線信号網１０５を介して着信課金サービス制御装置１０７に着信課金サービス番号６０１と発信元電話番号を送信し、着信課金サービス契約者の着信先電話番号６０２を問い合せる（１１０２及び１２０４）。
【００２８】
着信課金サービス制御装置１０７（例えば、着信課金制御部３０２、特に記載する場合を除き以下同じ）は、ＣＡ１０２より着信課金サービス番号６０１と発信元電話番号を受信し、受信した発信元電話番号を発信元電話番号格納部３０７に格納する（図１４：１３０１）。更に、着信課金サービス制御装置１０７は、着信課金サービス番号６０１に基づき、自装置内にある着信課金サービス番号格納部３１１のデータベース内に登録してある着信課金サービス番号６０１を検索する（１３０２）。着信課金サービス制御装置１０７は、該当する番号が登録されていない場合は（１３０３）、ＣＡ１０２に対して未登録だったという情報を送信する（１３０４）。一方、着信課金サービス制御装置１０７は、番号が登録されていた場合（１３０３）、データベース内に登録してある着信課金サービス番号６０１に対応する着信先電話番号６０２及び事業者識別情報６０４を取得し、自装置内にある着信先電話番号格納部３０６に着信先電話番号を格納し、更に課金先事業者格納部３１３に事業者識別情報６０４を格納する（１３０５）。着信課金サービス制御装置１０７は、取得した着信先電話番号６０２を含む問い合わせ結果を共通線信号網１０５を介してＣＡ１０２に送信する（１１０３及び１３０６）。
【００２９】
ＣＡ１０２（例えば、ＣＡ制御部２０２、特に記載する場合を除き以下同じ）は、着信先電話番号６０２を含む問い合わせの結果を受信する（１２０５）。ＣＡ１０２は、未登録という情報を受信した場合、又は、着信先電話番号の問い合わせをしてから所定時間内に着信先電話番号６０２を取得できなかった場合（１２０６）、ＣＡ１０２内にある音声ガイダンス送出部２０４より音声ガイダンスのデータを読み出し、音声信号変換部２０５で音声パケットに変換し、発信元のＩＰ電話１０１に音声ガイダンスを流す（１２０７）。一方、ＣＡ１０２は、着信先電話番号６０２を取得できた場合（１２０６）、受信した着信先電話番号６０２に基づきＣＡ１０２にあるＩＰアドレス格納部２０６のデータベース内に登録してある着信先電話番号８０１を検索する（１２０８）。ＣＡ１０２は、着信先電話番号８０１が登録されていない場合（１２０９）、上述と同様に音声ガイダンスをＩＰ電話１０１に流す（１２０７）。一方、ＣＡ１０２は、着信先電話番号８０１が登録されていた場合（１２０９）、着信先電話番号８０１に対応したＩＰアドレス８０２を取得する（１２１０）。
【００３０】
ＣＡ１０２は、取得したＩＰアドレス８０２と着信先電話番号８０１を基にＩＰ網１０３とそのＩＰアドレスが示すＭＧ１０４を介して着信課金サービス契約者のＰＳＴＮ加入電話１０９を収容している交換機１０６と接続する（１１０４及び１２１１）。交換機１０６は、着信先電話番号８０１を基に着信課金サービス契約者のＰＳＴＮ加入電話１０９と接続し、通話可能か問い合わせる（１１０５）。ＰＳＴＮ加入電話１０９は着信可能か否か判断し、交換機１０６に可否情報を返答する（１１０６）。その情報を受けた交換機１０６は、ＣＡ１０２に該情報を送信する（１１０７）。ＣＡ１０２は、通話の可否情報を受信し（１２５０）、受信した情報が通話可能を示す情報でない場合（１２１２）、通話中の音をＩＰ電話１０１に送信する（１１０８及び１２１３）。一方、ＣＡ１０２は、受信した情報が通話可能を示す場合、ＩＰ電話１０１に呼び出し音を流す（１１０８及び１２１４）。また、ＣＡ１０２は、呼び出し中であるという情報を着信課金サービス制御装置１０７に送信する（１１０９及び１２１５）。なお、ＰＳＴＮ加入電話との接続に関する処理（例えば、１１０４、１１０８）は、例えばＳＩＰ処理部２０３が所定のプロトコルに従い行うことができる。
着信課金サービス制御装置１０７は、ＣＡ１０２から呼び出し中であるという情報を受信した場合に、着信先電話番号格納部３０６に格納された電話番号と課金先事業者格納部３１３に格納された事業者識別情報６０４を含み、これらを課金先に変更する変更指示をＣＡ１０２に送信する（１１１０及び１３０７）。ＣＡ１０２は、変更指示を受信した場合に、変更指示に含まれる課金先に変更する電話番号と事業者識別情報を課金先管理部２１３に格納する（１２１６）。
【００３１】
着信課金サービス制御装置１０７は、料金レートの変更指示をするために発信元電話番号格納部３０７に格納した電話番号を読み出し、自装置にある端末判別部３０３で読み出した電話番号を検索し、電話番号９０１を基に発信端末の端末種類９０２を判別する。また、着信課金サービス制御装置１０７は、着信先電話番号格納部３０６に格納した電話番号６０２も同様にして、着信課金サービス契約者端末（着信端末）の端末種類を判別する。着信課金サービス制御装置１０７は、判別した端末種類に基づき、料金レート判別部３１２にある着信課金サービス契約者端末１００１と発信端末１００２の情報が一致するエントリを判別し、対応するＰＳＴＮ料金レート及びＩＰ料金レートを取得する。また、着信課金サービス制御装置１０７は、取得したＩＰ料金レート１００４を含む変更指示をＣＡ１０２に送信する（１１１１及び１３０８）。ＣＡ１０２は、ＩＰ料金レートを含む変更指示を受信し、料金レート管理部２０９のデータベース内にＩＰ料金レートを格納する（１２１７）。また、着信課金サービス制御装置１０７は、取得したＰＳＴＮ料金レート１００３を料金レート管理部３０９に格納する（１３０８）。
着信課金サービス制御装置１０７（例えば、課金停止部３１４）は、着信課金サービス契約者であるＰＳＴＮ加入電話１０９を収容している交換機１０６（ステップ１１０４で接続した交換機）にＩＰ事業者への課金を停止させる（１１１２及び１３０９）。通常、ＩＰ事業者側（ＩＰ電話）から交換機１０６に接続すると、交換機１０６は自装置に接続するための料金を課金してＩＰ事業者に請求するが、本実施の形態では着信課金、すなわちＰＳＴＮ側に課金するため、交換機のＩＰ事業者への課金を停止させる必要がある。本実施の形態は、例えば、着信側の交換機での課金を停止させて着信課金サービス制御装置１０７で課金し、また、発信側での課金は課金先を着信先電話番号に変更するものである。
【００３２】
ＰＳＴＮ加入電話１０９の受話器が取られると、着信課金サービス契約者であるＰＳＴＮ加入電話１０９は、通話可能状態になったことを示す情報を交換機１０６に送信する（１１１３）。交換機１０６は、この情報を受信し、通話可能であるという情報をＣＡ１０２に対して送信する（１１１４）。ＣＡ１０２は、該情報を受信して該情報を着信課金サービス制御装置１０７に送信する（１１１５及び１２１８）。また、ＣＡ１０２は該情報を受信して、時間監視部２０８にて通話時間の監視を開始する（１２１９）。また、着信課金サービス制御装置１０７は該情報を受信して、時間監視部３０８にて通話時間の監視を開始する（１３１０）。
ＣＡ１０２（例えば、ＳＩＰ処理部２０３）は、ＩＰ電話１０１に通話可能であるという情報を送信する（１１１６）。これにより、ＩＰ電話１０１とＰＳＴＮ加入電話１０９の通話が可能になる。更にＣＡ１０２は、交換機１０６に対して応答確認を行って（１１１７）、ＩＰ電話１０１と着信課金サービス契約者であるＰＳＴＮ加入電話１０９のどちらか一方が回線を切断するまで通話時間の監視をする。
【００３３】
ここでは、例えば、ＰＳＴＮ加入電話１０９が回線を切断した場合について説明する。ＰＳＴＮ加入電話１０９の受話器が置かれ、回線を切断した場合に、ＰＳＴＮ加入電話１０９から交換機１０６に切断したという情報が送信される（１１１８）。交換機１０６は、該情報を受信して、ＣＡ１０２に切断したという情報を送信し（１１１９）、ＣＡ１０２は該情報を受信して、該情報を着信課金サービス制御装置１０７に送信する（１１２０及び１２２０）。また、ＣＡ１０２は、該情報を受信して時間監視部２０８の通話時間の監視を終了する（１２２１）。同様に、着信課金サービス制御装置１０７は、該情報を受信して時間監視部３０８の通話時間の監視を終了する（１３１１）。更に、ＣＡ１０２は、ＩＰ電話１０１に対して回線が切断されたという情報を送信し（１１２１）、また、ＣＡ１０２は交換機１０６に切断確認を行う（１１２２）。ＩＰ電話１０１の受話器が置かれると、切断したという情報がＩＰ電話１０１からＣＡ１０２に送信される（１１２３）。
通話終了後、ＣＡ１０２の料金算出部２１０は、時間監視部２０８で監視していた通話時間と料金レート管理部２０９にあるＩＰ料金レートを基に料金（課金情報）を算出し、課金先管理部２１３に格納されている電話事業者（ここでは、ＰＳＴＮ事業者Ａ）を課金先に設定し、その課金先と課金情報を含む第１の料金情報を作成する（１２２２）。また、料金算出部２１０は、課金先管理部２１３に格納されている着信課金サービス契約者の着信先電話番号を課金先に設定し、その課金先と算出した料金情報を含む第２の料金情報を作成する（１２２２）。このように、料金算出部２１０は課金先の異なる２種類の料金情報を作成する。なお、ここで算出された料金はＩＰ網側の料金であり、ＰＳＴＮ側（例えば、交換機とＭＧ間の事業所間接続料）は含まれていない。
【００３４】
ＣＡ１０２は、課金先として着信課金サービス契約者の電話事業者を設定した第１の料金情報をＩＰ課金管理装置１１０（発信側）に送信する（１１２４及び１２２３）。ＩＰ課金管理装置１１０は、第１の料金情報を受信し、課金先に設定された情報に基づき、自装置にあるデータベースの課金先情報５０１を検索し、該当する課金先情報５０１に対応した課金情報５０２に第１の料金情報に含まれる課金情報を加算する。例えば、図５に示すデータベースの例では、エントリ５０３−Ｎの課金情報に加算される。なお、課金情報５０１には、前回の通話分までが課金されており、新たに受信した課金情報５０２を加算することで料金の管理を行う。
更に、ＣＡ１０２は、課金先として着信課金サービス契約者の着信先電話番号を設定した第２の料金情報を、例えば着信課金サービス制御装置１０７経由（１１２５及び１２２３）でＰＳＴＮ課金管理装置１０８（着信側）に送信する（１１２６）。ＰＳＴＮ課金管理装置１０８は第２の料金情報を受信して、課金先に設定された情報に基づき自装置にあるデータベースの課金先情報４０１を検索し、該当する課金先情報４０１に対応した課金情報４０２に第２の料金情報に含まれる課金情報を加算して料金の管理を行う。例えば、図４に示すデータベースの例では、エントリ４０３−１などの課金情報に加算される。
【００３５】
着信課金サービス制御装置１０７の料金算出部３１０は、時間監視部３０８で監視していた通話時間と料金レート管理部３０９にあるＰＳＴＮ料金レートを基に料金（課金情報）を算出し、課金先として着信先電話番号格納部２０６に格納されている着信課金サービス契約者の着信先電話番号を設定した第３の料金情報を作成する（１３１２）。着信課金サービス制御装置１０７は、作成された第３の料金情報を、ＰＳＴＮ課金管理装置１０８（着信側）に送信する（１１２７及び１３１３）。ＰＳＴＮ課金管理装置１０８は、第３の料金情報を受信して、課金先に設定された情報に基づき自装置にあるデータベースの課金先情報４０１を検索し、該当する課金先情報４０１に対応した課金情報４０２に第３の料金情報に含まれる課金情報を加算して料金の管理を行う。例えば、図４に示すデータベースの例では、エントリ４０３−１などの課金情報に加算される。したがって、着信先であるＰＳＴＮ加入電話には、上述のようにＩＰ側の料金とＰＳＴＮ側の料金が加算されることになる。
以上の動作により、ＩＰ電話加入者が着信課金サービス契約者であるＰＳＴＮ加入電話に発信した場合において、着信課金サービスを提供できる。なお、ＰＳＴＮ事業者は、ＰＳＴＮ課金管理装置１０８に格納された料金情報に従い、ＩＰ網の料金とＰＳＴＮ網の料金の和をＰＳＴＮ加入電話１０９に請求し、ＩＰ事業者は、ＩＰ課金管理装置１１０に格納された料金情報に従い、ＩＰ網の料金をＰＳＴＮ事業者に請求する。
【００３６】
（ＰＳＴＮ電話発信、ＩＰ電話着信による着信課金サービスの動作）
ＰＳＴＮ加入者が着信課金サービス契約者であるＩＰ電話に対して発信し、着信課金サービスを受ける場合の動作について説明する。図１５は、ＰＳＴＮ加入電話発信における着信課金サービスのシーケンスの一例である。図１６は、ＰＳＴＮ加入電話発信における着信課金サービス時のＣＡ１０２の動作を示したフローチャートの一例である。図１７は、ＰＳＴＮ加入電話発信における着信課金サービス時の着信課金サービス制御装置１０７の動作を示したフローチャートの一例である。以下に、図１５〜図１７を用いて説明をする。
まず、ＰＳＴＮ加入電話１０９が着信課金サービス契約者であるＩＰ電話１０１に対して着信課金サービス番号で発呼する（図１５：１４０１）。交換機１０６は、ＰＳＴＮ加入電話１０９の発呼を検出して、着信先電話番号（ここでは、着信課金サービス番号）と発信元電話番号等の呼接続に必要な情報を受信する。交換機１０６は、受信した着信先電話番号を基に着信課金サービス番号か通常発信かを判定し、着信課金サービス番号の場合、着信課金サービス制御装置１０７に着信課金サービス番号と発信元電話番号を送信し、着信課金サービス契約者の着信先電話番号を問い合せる（１４０２）。
【００３７】
着信課金サービス制御装置１０７は、交換機１０６より着信課金サービス番号と発信元電話番号を受信し、受信した発信元電話番号を発信元電話番号格納部３０７に格納する（図１７：１６００）。更に、着信課金サービス制御装置１０７は、着信課金サービス番号６０１に基づき、自装置内にある着信課金サービス番号格納部３１１のデータベース内に登録してある着信課金サービス番号６０１を検索する（１６０１）。着信課金サービス制御装置１０７は、該当する番号が登録されていない場合（１６０２）、交換機１０６に対して未登録だったという情報を送信する（１６０３）。一方、着信課金サービス制御装置１０７は、番号が登録されていた場合（１６０２）、データベース内に登録してある着信課金サービス番号６０１に対応する着信先電話番号６０２及び事業者識別情報６０４を取得し、自装置内にある着信先電話番号格納部３０６に着信先電話番号６０２を格納し、更に課金先事業者格納部３１３に事業者識別情報６０４を格納する（１６０４）。着信課金サービス制御装置１０７は、取得した着信先電話番号６０２を含む問い合わせ結果を共通線信号網１０５を介して交換機１０６に送信する（１４０３及び１６０５）。また、着信課金サービス制御装置１０７（例えば、課金停止部３１４）は、交換機１０６に対して発信者であるＰＳＴＮ加入電話１０９の課金状態を非課金状態にするように指示する（１４０４及び１６０６）。
【００３８】
交換機１０６は、着信先電話番号６０２を含む問い合わせの結果を受信する。交換機１０６は、例えば未登録という情報を取得した場合、又は、着信先電話番号を問い合わせてから所定時間内に着信先電話番号６０２を取得できなかった場合、ＰＳＴＮ加入電話１０９に所定の音声ガイダンスを流す。
次に、交換機１０６は、受信した着信先電話番号６０２をＣＡ１０２に送信する（１４０５）。ＣＡ１０２は、受信した着信先電話番号６０２に基づき、ＣＡ１０２にあるＩＰアドレス格納部２０６のデータベース内に登録してある着信先電話番号８０１を検索する（図１６：１５０１）。ＣＡ１０２は、該当する着信先電話番号８０１が登録されていない場合（１５０２）、接続不可という情報を交換機１０６に返信する（１５０３）。一方、ＣＡ１０２は、該当する着信先電話番号８０１が登録されていた場合、着信先電話番号８０１に対応したＩＰアドレス８０２を取得する。ＣＡ１０２は、取得したＩＰアドレス８０２を基に、ＩＰ網１０３を介して着信課金サービス契約者であるＩＰ電話１０１と接続し（１５０４）、ＩＰ電話１０１が通話可能か問い合わせる（１４０６）。ＩＰ電話１０１は、着信可能か否か判断する。例えば、ＩＰ電話１０１は、通話中の場合、通話中であるという情報をＣＡ１０２に返答する。一方、通話可能な場合、ＩＰ電話１０１は呼び出し中であるという情報を返信する（１４０７）。
【００３９】
ＣＡ１０２は、通話可能か否かを示す問い合わせ結果を受信し（１５５０）、受信した問い合わせ結果が通話中であるという情報の場合、通話中であるという情報を共通線信号網１０５を介して交換機１０６に送信する。一方、呼び出し中であるという情報を受信した場合、ＣＡ１０２は、共通線信号網１０５を介して交換機１０６に呼び出し中の情報を送信する（１４０８及び１５０７）。該情報を受信した交換機１０６は、ＰＳＴＮ加入電話１０９及び着信課金サービス制御装置１０７に呼び出し中の情報を送信する（１４０９及び１４１０）。
また、着信課金サービス制御装置１０７は、呼び出し中であるという情報を受信すると、ＣＡ１０２に着信先電話番号格納部３０６に格納された着信先電話番号を含み、この番号を課金先に変更する変更指示をＣＡ１０２に送信する（１４１１、１６０７）。ＣＡ１０２は、変更指示を受信した場合に、変更指示に含まれる課金先に変更する着信先電話番号を課金先管理部２１３に格納する（１５０８）。
【００４０】
着信課金サービス制御装置１０７は、料金レートの変更指示をするために発信元電話番号格納部３０７に格納した発信元電話番号を読み出し、自装置にある端末判別部３０３で読み出した発信元電話番号を検索し、電話番号９０１を基に発信端末の端末種類９０２を判別する。また、着信課金サービス制御装置１０７は、着信先電話番号格納部３０６に格納した着信先電話番号８０１も同様にして、着信端末の端末種類を判別する。着信課金サービス制御装置１０７は、判別した端末種類に基づき、料金レート判別部３１２にある着信課金サービス契約者端末１００１と発信端末１００２の情報が一致するエントリを検索して、対応するＰＳＴＮ料金レート及びＩＰ料金レートを取得する。着信課金サービス制御装置１０７は、ＣＡ１０２に取得したＰＳＴＮ料金レート１００３とＩＰ料金レート１００４を含む変更指示を送信する（１４１２及び１６０８）。また、着信課金サービス制御装置１０７は、取得したＰＳＴＮ料金レート１００３を料金レート管理部３０９に格納する。ＣＡ１０２は、料金レートを含む変更指示を受信し、料金レート管理部２０９のデータベース内に受信したＰＳＴＮ料金レート１００３とＩＰ料金レート１００４を登録する（１５０９）。
ＩＰ電話１０１の受話器が取られると、着信課金サービス契約者であるＩＰ電話１０１は通話可能状態になったことを示す情報をＣＡ１０２に送信する（１４１３）。ＣＡ１０２は、通話可能であるという情報を受信し、同様の情報を交換機１０６に送信する（１４１４及び１５１０）。交換機１０６は、該情報を受信して、着信課金サービス制御装置１０７及びＰＳＴＮ加入電話１０９に通話可能であるという情報を送信する（１４１５及び１４１６）。これにより、ＰＳＴＮ加入電話１０９とＩＰ電話１０１の通話が可能になる。
【００４１】
ＣＡ１０２は、通話可能であるという情報を受信すると、時間監視部２０８にて通話時間の監視を開始する（１５１１）。また、着信課金サービス制御装置１０７は、交換機１０６から通話可能であるという情報を受信して時間監視部３０８にて通話時間の監視を開始する（１６０９）。更に、交換機１０６は、ＣＡ１０２に対して応答確認を行い（１４１７）、ＰＳＴＮ加入電話１０９と着信課金サービス契約者であるＩＰ電話１０１のどちらか一方が回線を切断するまで通話時間の監視をする。
ここでは、例えば、ＩＰ電話１０１が回線を切断した場合について説明する。ＩＰ電話１０１の受話器が置かれ回線を切断した場合に、ＩＰ電話１０１からＣＡ１０２に切断したという情報が送信される（１４１８）。ＣＡ１０２は、該情報を受信して、交換機１０６に回線が切断されたという情報を送信する（１４１９及び１５１２）。交換機１０６は、該情報を受信して、該情報を着信課金サービス制御装置１０７に送信する（１４２０）。また、ＣＡ１０２は、該情報を受信して時間監視部２０８の通話時間の監視を終了する（１５１３）。同様に、着信課金サービス制御装置１０７は、回線が切断されたという情報を受信し、時間監視部３０８の通話時間の監視を終了する（１６１０）。更に、交換機１０６は、ＰＳＴＮ加入電話１０９に対して回線が切断されたという情報を送信する（１４２１）。また、交換機１０６は、ＣＡ１０２に切断確認を行う（１４２２）。ＰＳＴＮ加入電話１０９の受話器が置かれると、切断したという情報がＰＳＴＮ加入電話から交換機１０６に送信される（１４２３）。
【００４２】
通話終了後、ＣＡ１０２の料金算出部２１０は、時間監視部２０８で監視していた通話時間と料金レート管理部２０９にあるＩＰ料金レート及びＰＳＴＮ料金レートを基に料金（課金情報）を算出し、課金先管理部２１３に格納されている着信先電話番号を課金先に設定し、その課金先と課金情報を含む第４の料金情報を作成する（１５１４）。ＣＡ１０２は、ＩＰ課金管理装置１１０に第４の料金情報を送信する（１４２４及び１５１５）。ＩＰ課金管理装置１１０は、第４の料金情報を受信して、課金先に設定された情報に基づき、自装置にあるデータベースの課金先情報５０１を検索し、該当する課金先情報５０１に対応する課金情報５０２に第４の料金情報に含まれる課金情報を加算して料金の管理を行う。
また、着信課金サービス制御装置１０７の料金算出部３１０は、時間監視部３０８で監視していた通話時間と、料金レート管理部３０９にあるＰＳＴＮ料金レートを基に料金（課金情報）を算出し、課金先として課金先事業者格納部３１３に格納している事業者識別情報（ここでは、ＩＰ事業者Ａ）を課金先に設定し、課金先と課金情報を含む第５の料金情報を作成する（１６１１）。着信課金サービス制御装置１０７は、第５の料金情報をＰＳＴＮ課金管理装置１０８に送信する（１４２５及び１６１２）。ＰＳＴＮ課金管理装置１０８は、第５の料金情報を受信して、課金先に設定された情報を自装置にあるデータベースの課金先情報４０１を検索し、該当する課金先情報４０１に対応する課金情報４０２に第５の料金情報に含まれる課金情報を加算して料金の管理を行う。
以上により、ＰＳＴＮ加入電話所有者が着信課金サービス契約者であるＩＰ電話に発信した場合にも着信課金サービスを実現することができる。なお、
ＰＳＴＮ事業者は、ＰＳＴＮ課金管理装置１０８に格納された料金情報に従い、ＰＳＴＮ網の料金をＩＰ事業者に請求し、ＩＰ事業者は、ＩＰ課金管理装置１１０に格納された料金情報に従い、ＩＰ網の料金とＰＳＴＮ網の料金の和をＩＰ加入電話１０１に請求する。
【００４３】
（料金情報作成の変形例）
料金情報の作成及び送信は、上述の方法以外にもＣＡ１０２及び着信課金サービス制御装置１０７が適宜作成及び送信することができる。すなわち、着信課金サービス制御装置１０７及びコールエージェント１０２は、通話時間と料金レートに基づき、着信先電話番号格納部３０６及び課金先管理部２１３に格納された着信先電話番号にＩＰ網及び公衆回線電話網における料金の和が課金されるように料金情報を作成して、着信側の事業者（例えばＰＳＴＮ事業者）が管理する課金管理装置に作成された料金情報を送信し、かつ、課金先事業者格納部３１３及び／又は課金先管理部２１３に格納された着信先の事業者識別情報に発信端末（例えばＩＰ電話）側の網における料金が課金されるように料金情報を作成して、発信元の事業者（例えばＩＰ事業者）が管理する課金管理装置に作成された料金情報を送信すればよい。
例えば、交換機１０６及びＣＡ１０２の課金を止め、料金情報は着信課金サービス制御装置１０７がすべて作成するようにしてもよい。以下に、ＩＰ電話発信・ＰＳＴＮ加入電話着信の場合を例に、着信課金サービス制御装置１０７が料金情報をすべて作成する場合について説明する。着信課金サービス制御装置１０７は、交換機１０６の課金を停止させる際に、ＣＡ１０２の課金も停止させる。その他発呼から通話の終了までの処理は、上述と同様であるので省略する。
【００４４】
通話終了後、着信課金サービス制御装置１０７の料金算出部３１０は、時間監視部３０８で監視していた通話時間と料金レート管理部３０９にあるＩＰ料金レートを基に料金（課金情報）を算出し、課金先事業者格納部３１３に格納されている事業者識別情報（ここでは、ＰＳＴＮ事業者Ａ）を課金先に設定し、その課金先と課金情報を含む料金情報を作成する（１２２２に相当）。着信課金サービス制御装置１０７は、作成された料金情報をＩＰ課金管理装置１１０（発信側）に送信する（１１２４及び１２２３に相当）。ＩＰ課金管理装置１１０は、料金情報を受信し、上述と同様に該当するエントリに課金情報を加算する。
さらに、着信課金サービス制御装置１０７の料金算出部３１０は、時間監視部３０８で監視していた通話時間と料金レート管理部３０９にあるＩＰ料金レート、及び、通話時間とＰＳＴＮ料金レートを基にＩＰ網及びＰＳＴＮにおける料金（課金情報）の和を算出し、課金先として着信先電話番号格納部２０６に格納されている着信課金サービス契約者の着信先電話番号を設定した料金情報を作成する（１３１２に相当）。なお、料金レート管理部３０９には、料金レート判別部３１２で判別されたＩＰ料金レート及びＰＳＴＮ料金レートを予め記憶しておく。例えば、上述のステップ１３０８にて記憶しておく。着信課金サービス制御装置１０７は、作成された料金情報を、課金先事業者格納部３１３に格納された事業者識別情報に対応する課金装置（ここでは、ＰＳＴＮ課金管理装置１０８）に送信する（１１２７及び１３１３に相当）。ＰＳＴＮ課金管理装置１０８は、料金情報を受信して、上述と同様に該当するエントリに課金情報４０２を加算する。
【産業上の利用可能性】
【００４５】
ＩＰ電話機と公衆回線電話機の相互接続が実現された電話網に利用可能である。
【図面の簡単な説明】
【００４６】
【図１】着信課金サービス制御装置を備えたＩＰ網とＰＳＴＮとの相互接続網構成例
【図２】コールエージェントのブロック構成例
【図３】着信課金サービス制御装置のブロック構成例
【図４】ＰＳＴＮ課金管理装置にある料金課金用データベース例
【図５】ＩＰ課金管理装置にある料金課金用データベース例
【図６】着信番号格納部にある着信課金サービス用データベース例
【図７】ルーティング番号判別部にあるデータベース例
【図８】ＩＰアドレス格納部にあるデータベース例
【図９】端末判別部にあるデータベース例
【図１０】料金レート判別部のデータベース例
【図１１】着信課金サービス時におけるシーケンス（ＩＰ電話発信）
【図１２】着信課金サービス時のＣＡの動作を示したフローチャート（１）（ＩＰ電話発信）
【図１３】着信課金サービス時のＣＡの動作を示したフローチャート（２）（ＩＰ電話発信）
【図１４】着信課金サービス時の着信課金サービス制御装置の動作を示したフローチャート（ＩＰ電話発信）
【図１５】着信課金サービス時におけるシーケンス（ＰＳＴＮ加入電話発信）
【図１６】着信課金サービス時のＣＡの動作を示したフローチャート（ＰＳＴＮ加入電話発信）
【図１７】着信課金サービス時の着信課金サービス制御装置の動作を示したフローチャート（ＰＳＴＮ加入電話発信）
【符号の説明】
【００４７】
１０１.ＩＰ電話
１０２.コールエージェント（ＣＡ：Ｃａｌｌ  Ａｇｅｎｔ）
１０３.ＩＰ（Ｉｎｔｅｒｎｅｔ  Ｐｒｏｔｏｃｏｌ）網
１０４.メディアゲートウェイ（ＭＧ：Ｍｅｄｉａ  Ｇａｔｅｗａｙ）
１０５.共通線信号網
１０６.交換機
１０７.着信課金サービス制御装置
１０８.ＰＳＴＮ課金管理装置
１０９.ＰＳＴＮ加入電話
１１０.ＩＰ課金管理装置
２０１.ＩＰ網インタフェース
２０２.ＣＡ制御部
２０３.ＳＩＰ処理部
２０４.音声ガイダンス送出部
２０５.音声信号変換部
２０６.ＩＰアドレス格納部
２０７.共通線信号インタフェース
２０８.時間監視部
２０９.料金レート管理部
２１０.料金算出部
２１１.ルーティング番号判別部
２１２.ＩＰ課金管理装置インタフェース
２１３.課金先管理部
３０１.共通線信号インタフェース
３０２.着信課金制御部
３０３.端末判別部
３０４.ＩＰ課金管理装置インタフェース
３０５.ＰＳＴＮ課金管理装置インタフェース
３０６.着信先電話番号格納部
３０７.発信元電話番号格納部
３０８.時間監視部
３０９.料金レート管理部
３１０.料金算出部
３１１.着信課金サービス番号格納部
３１２.料金レート判別部
３１３.課金先事業者格納部
３１４．課金停止部
【図１】
2005210581.tif 000003
【図２】
2005210581.tif 000004
【図３】
2005210581.tif 000005
【図４】
2005210581.tif 000006
【図５】
2005210581.tif 000007
【図６】
2005210581.tif 000008
【図７】
2005210581.tif 000009
【図８】
2005210581.tif 000010
【図９】
2005210581.tif 000011
【図１０】
2005210581.tif 000012
【図１１】
2005210581.tif 000013
【図１２】
2005210581.tif 000014
【図１３】
2005210581.tif 000015
【図１４】
2005210581.tif 000016
【図１５】
2005210581.tif 000017
【図１６】
2005210581.tif 000018
【図１７】
2005210581.tif 000019